【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
需要ネットワークと関連付けられたシステムであって、
消耗品のメータ情報を読み込むことが可能な複数の需要メータと、
前記需要ネットワークに配置され、前記需要メータと連動でき、前記需要メータから前記消耗品のメータ情報を受信し、所定のネットワークアドレスへ当該情報を送信することができる複数の需要ネットワークノードと
を有し、
少なくとも一つの前記需要ネットワークノードは、メータ読込プログラムからのメータ読込要求の受信に応答して、
少なくとも一つの前記需要メータとのセッションを初期化し、
少なくとも一つの前記需要メータへの複数のメータデータ要求を生成し、
前記需要メータから前記メータデータ要求への応答を受信し、
メータ読込要求応答へ、前記メータデータ要求に対する受信した前記応答をフォーマットし、
受信した前記メータ読込要求に関連付けられた所定のネットワークアドレスへ前記メータ読込要求応答を送信する
ことを特徴とするシステム。
【請求項２】
前記需要ネットワークノードは、予め設計されたプロトコルフォーマットに準じた要求／応答のメッセージの双方向交換を含むオフネットもしくはオンネットのセッションと関連づけられている需要メータと連動できることを特徴とする請求項１に記載のシステム。
【請求項３】
前記メータ読込要求応答のフォーマットは、ＡＮＳＩのＣ１２．１９もしくはＣ１２．１８のいずれかに基づいていることを特徴とする請求項１に記載のシステム。
【請求項４】
Ｃ１２．１９フォーマットにおいて動作する前記需要メータとのセッションにおいて、前記需要ネットワークによって用いられるプロトコルは、前記ＡＮＳＩの１２．１８プロトコルフォーマットに基づいていることを特徴とする請求項１に記載のシステム。
【請求項５】
メータ読込要求に関するメッセージ交換において、需要サーバと前記需要ネットワークノードによって用いられる上位レベルメッセージプロトコルは、単純Ｃ１２．１８読込プリミティブの単純パススルーであるプリミティブの集合の定義を含むことを特徴とする請求項４に記載のシステム。
【請求項６】
前記送信されたメータ読込要求応答は、前記送信されたメータ読込要求応答に含まれた前記消耗品のメータ情報を解釈するために用いられる少なくとも一つの先頭に付加された注釈を含むことを特徴とする請求項５に記載のシステム。
【請求項７】
前記需要ネットワークノードへ前記需要サーバによって送信される前記メータ読込要求を有するより上位レベルのプロトコルメッセージは、ＩＰｖ４、ＩＰｖ６のうちのいずれか一つの形式であることを特徴とする請求項５に記載のシステム。
【請求項８】
前記需要サーバへ前記需要ネットワークノードによって送信される前記メータ読込要求応答を有するより上位レベルのプロトコルメッセージは、ＩＰｖ４、ＩＰｖ６のうちのいずれか一つの形式であることを特徴とする請求項５に記載のシステム。
【請求項９】
前記受信したメータ読込要求に関連付けられた前記所定のネットワークアドレスは、前記需要サーバに対応することを特徴とする請求項５に記載のシステム。
【請求項１０】
前記受信したメータ読込要求に関連付けられた前記所定のネットワークアドレスは、前記需要ネットワークへのアクセスポイントに対応し、
前記メータ読込プログラムは、前記ネットワークアドレスに関連付けられた前記アクセスポイントに位置することを特徴とする請求項５に記載のシステム。
【請求項１１】
前記需要メータとの１以上のＣ１２．１８セッションを介して、前記需要ネットワークノードによって収集された前記データは、ＴＬＶ（時間、長さ、値）の組に基づいていることを特徴とする請求項５に記載のシステム。
【請求項１２】
前記需要ネットワークノードから前記需要サーバへの前記応答のメッセージは、前記応答から任意の特定ＴＬＶを削除するためのオプションを有する一連のランレングス符号化セクションである前記要求されたデータを含み、含まれるヘッダは、データのタイプと前記ヘッダの直後に位置する前記データの部分の長さを示すことを特徴とする請求項１１に記載のシステム。
【請求項１３】
需要メータを読み込むための要求に応答する方法であって、
需要メータと対応付けられた通信ノードによるメータ読込アプリケーションからメータ読込要求を受信する工程と、
通信モジュールと前記需要メータとの間のセッションであり、前記需要メータとの当該セッションを開始する工程と、
前記需要メータへの複数のデータ要求を生成する工程と、
前記通信モジュールによって、前記需要メータとの複数のデータ要求に対応付けられた複数の応答を受信する工程と、
前記通信モジュールによって、前記メータ読込アプリケーションからの前記メータ読込要求への応答をフォーマットする工程と、
前記メータ読込アプリケーションへの前記応答を送信する工程と
を有することを特徴とする方法。
【請求項１４】
メータ読込アプリケーションから受信した前記メータ読込要求はＣ１２．１８に準拠していることを特徴とする請求項１３に記載の方法。
【請求項１５】
前記需要メータは、Ｃ１２．１９準拠需要メータであり、前記Ｃ１２．１９準拠需要メータへの前記複数のデータ要求は、Ｃ１２．１８準拠であることを特徴とする請求項１４に記載の方法。
【請求項１６】
前記需要ネットワークノードは、前記Ｃ１２．１９準拠需要メータとの独立型Ｃ１２．１８セッションを行うことができることを特徴とする請求項１５に記載の方法。
【請求項１７】
前記メータ読込アプリケーションへの前記応答をフォーマットする工程は、注釈情報を含めることを特徴とする請求項１５に記載の方法。
【請求項１８】
需要ネットワークにおいて用いられる通信モジュールであって、
需要メータへのインターフェースと、
命令を格納するためのメモリと、
命令を処理するためのプロセッサと、
ＲＦネットワークを用いてメータ読込アプリケーションと通信するためのＲＦ無線と
を有し、
前記プロセッサは、
メータ読込アプリケーションから受信したメータ読込要求に応答して需要メータとのセッションを開始し、
前記需要メータへの複数のデータ要求を生成し、
前記通信モジュールにより前記需要メータへの前記複数のデータ要求に対応付けられた少なくともいくつかの複数の受信した応答を用いて、前記通信モジュールによって、前記メータ読込アプリケーションから前記メータ読込要求への応答をフォーマットし、
前記メータ読込アプリケーションへの前記応答を送信する
命令を実行することを特徴とする通信モジュール。
【請求項１９】
メータ読込アプリケーションからの受信された前記メータ読込要求は、Ｃ１２．１８に準拠していることを特徴とする請求項１８に記載の通信モジュール。
【請求項２０】
前記需要メータは、Ｃ１２．１９準拠需要メータであり、前記Ｃ１２．１９準拠需要メータへの前記複数のデータ要求は、Ｃ１２．１８準拠であることを特徴とする請求項１９に記載の通信モジュール。
【請求項２１】
前記需要ネットワークノードは、前記Ｃ１２．１９準拠需要メータと独立型Ｃ１２．１８セッションを行うことができることを特徴とする請求項２０に記載の通信モジュール。
【請求項２２】
前記メータ読込アプリケーションへの前記応答をフォーマットする工程は、注釈情報を含めることを特徴とする請求項２０に記載の通信モジュール。
【請求項２３】
前記ＲＦ無線は、ＩＰベースのプロトコルを用いたメッセージを送信することを特徴とする請求項２０に記載の通信モジュール。
【請求項２４】
ＩＰベースのプロトコルは、ＩＰｖ６もしくはＩＰｖ４のうち、少なくとも一つのプロトコルを含むことを特徴とする請求項２０に記載の通信モジュール。
【請求項２５】
前記ＲＦ無線は、ＩＰプロトコルフォーマットにおける前記メータ読込アプリケーションからメータ読込要求を受信することを特徴とする請求項２０に記載の通信モジュール。
【請求項２６】
前記ＩＰベースのプロトコルは、ＩＰｖ６及びＩＰｖ４のうち、少なくとも一つのプロトコルを含むことを特徴とする請求項２０に記載の通信モジュール。